(57)【要約】【課題】  低騒音で、信頼性が高く、小型で、安価な光走査装置、光走査方法及びプリンタを提供する。【解決手段】  光源１０７と、強誘電体で形成されたフォトニック結晶１０８と、フォトニック結晶１０８に電圧を印加すると共に電圧を制御する電圧制御部１０６と、走査位置を検出する検出部１０３とを備えているので、機械的駆動部がなく、光量のばらつきがなく、かつ、特殊なレーザを必要としない光走査装置１００を容易に製造することができる。【選択図】  図１
2006065106.tif 000002
【特許請求の範囲】
【請求項１】
光を走査する光走査装置において、該光を発する光源と、強誘電体で形成されたフォトニック結晶と、前記フォトニック結晶に電圧を印加すると共に該電圧を制御する電圧制御部と、前記光の走査位置を検出する検出部とを備えたことを特徴とする光走査装置。
【請求項２】
請求項１に記載の光走査装置において、前記検出部で検出した走査位置を、前記電圧制御部にフィードバックして前記光を走査するようにしたことを特徴とする光走査装置。
【請求項３】
請求項１または２に記載の光走査装置において、前記光源、前記フォトニック結晶、前記電圧制御部及び前記検出部を有する光走査装置系を、主走査方向に２つ以上並べたことを特徴とする光走査装置。
【請求項４】
請求項１または２に記載の光走査装置において、前記光源、前記フォトニック結晶、前記電圧制御部及び前記検出部を有する光走査装置系を、副走査方向に２つ以上並べたことを特徴とする光走査装置。
【請求項５】
請求項４に記載の光走査装置において、前記光源が発する光の波長が２つ以上であることを特徴とする光走査装置。
【請求項６】
請求項１または請求項２に記載の光源、フォトニック結晶、電圧制御部及び検出部を有する光走査装置系を副走査方向に３つ以上並べ、かつ、前記光源から発する光の波長を３つ以上としたことを特徴とする光走査装置。
【請求項７】
請求項１から６のいずれか１項に記載の光走査装置において、前記強誘電体がＰＬＺＴであることを特徴とする光走査装置。
【請求項８】
請求項１から４のいずれか１項に記載の光走査装置と、該光走査装置からの光によって静電潜像が形成される像担持体と、該像担持体上の静電潜像を現像する現像器と、該現像器で現像された像を転写用紙に転写する転写器と、該転写用紙に転写された像を定着させる定着器とを備えたことを特徴とするプリンタ。
【請求項９】
請求項６に記載の光走査装置と、該光走査装置の光源からの光によって記録媒体上に形成された像を現像する現像器と、該現像器で現像された像を前記記録媒体に定着させる定着器とを備えたことを特徴とするプリンタ。
【請求項１０】
請求項１から７のいずれか１項に記載の光走査装置と、紫外光光源とを備えたことを特徴とするプリンタ。
【請求項１１】
光を走査する光走査方法において、光源から発せられた光を、電圧制御によりフォトニック結晶に電圧を印加すると共に該電圧を制御し、前記光の走査位置を検出部で検出することを特徴とする光走査方法。
【請求項１２】
請求項１１に記載の光走査方法において、前記検出部で検出した走査位置を、前記電圧制御部にフィードバックして前記光を走査することを特徴とする光走査方法。
【発明の詳細な説明】
【技術分野】
【０００１】
本発明は、光走査装置、光走査方法及びプリンタに関するものである。
【背景技術】
【０００２】
現在普及しているプリンタには様々な方式が採用されているが、そのなかの1つに光学的に書き込みを行う光書き込み方式がある。
光書き込み方式の代表的なものとしては電子写真方式が挙げられる。光書き込み方式で自己発色型の代表的なものとして、銀塩方式がある。銀塩方式は、印画紙に直接光で画像を書き込み、光が照射された領域が現像後に照射した光の色に発色するものであり、ＲＧＢ３色の光を用いて書き込むことでフルカラープリントができる。
【０００３】
また、自己発色型で最近注目させているものとして、フォトクロミック材料を用いたものが挙げられる。フォトクロミック材料とは、光により色が可逆的に変化するもので、光を照射した部分がその光の色に変化し、さらに、色が変化した部分に紫外線を照射することで、元の色に戻すことが可能であるため、フルカラーで、光による書き込み及び消去が繰り返し可能なリライタブルペーパーとして期待されている。
【０００４】
一方、上述した光書き込み方式に用いられる、従来の光走査装置には、電子写真方式プリンタ等で現在最も採用されているポリゴンミラー方式の光走査装置がある。
図６（ａ）は従来の光走査装置の平面図であり、図６（ｂ）は図６（ａ）の側面図である。
ポリゴンミラー方式は、複数の反射面を有するポリゴンミラーを高速で回転させ、その反射面に光を照射することで、光を走査させる方式である（例えば、特許文献１参照）。
また、光走査装置の他の従来例として、ＬＥＤや有機ＥＬなどの発光素子をアレイ状に並べたものがある。
【０００５】
図７は従来の光走査装置の概念図である。
図７に示した従来の光走査装置は、有機ＥＬ素子をアレイ状に並べたもので、任意の有機ＥＬ素子を制御して点灯させることにより光を走査させることができる（例えば、特許文献２参照）。
【０００６】
図８は従来の光走査装置の概念図である。
さらに、フォトニック結晶の大きな波長分散特性を用いたものもあり、図８に示した従来の光走査装置は、フォトニック結晶と波長可変レーザを用いて、光の波長を制御することにより光を走査する装置である（例えば、特許文献３参照）。
この他、波長可変レーザとフォトニック結晶とでレーザ走査システムを構成し、波長を連続的に変化させて、レーザ光を走査する方法がある（例えば、特許文献４参照）。
【０００７】
しかし、特許文献４記載の技術では、光位置センサ、または、スタート位置センサおよび終点位置センサを設け、センサからの情報をフィードバックしてレーザの波長を補正している。波長可変レーザという特殊なレーザを用いており、装置が高価になってしまう。
波長可変のＤＢＲ半導体レーザとフォトニック結晶とレーザ光をフォトニック結晶に入射させるカップリングレンズとで光走査装置を構成しており、波長可変ＤＢＲ半導体レーザは導波路を局部的に加熱するヒータを搭載し屈折率を可変する受動導波路加熱方式の半導体レーザであり、レーザ光の波長を変化させて、レーザ光を走査している（例えば、特許文献５参照）。
【０００８】
特許文献４に記載の技術と同様に特殊なレーザを用いており、装置が高価になってしまう。
【０００９】
ところで、上述したポリゴンミラー方式は、ミラーを機械的に回転させるという機械的駆動部が必要であるため、機械的摩耗が生じるという信頼性の面で問題があり、また、騒音が発生してしまうという問題がある。さらに、比較的大きな空間を占めてしまいプリンタが大きくなってしまうといった問題があった。
一方、ＬＥＤや有機ＥＬなどの発光素子をアレイ状に並べた光走査装置は、発光素子を並べて任意の発光素子を点灯させるので、機械的な駆動部がなく機械的摩耗や騒音が発生せず、また、占有する空間が比較的小さくプリンタ装置を小型化することができる。
【００１０】
しかしながら、発光素子としてＬＥＤをアレイ状に並べた光走査装置では、非常に長いＬＥＤアレイチップを作製するのは非常に困難であるため、複数のＬＥＤアレイチップを並べて実装する必要があるが、実装精度は印字品質に大きく影響するため、高精度の実装を行う必要があり、コストアップにつながっている。また、ＬＥＤアレイは、印字品質に大きく影響する発光ばらつきの問題がある。
このような発光ばらつきに対して、特許文献６記載の技術のように、電極の一部をレーザ光で切断して1ビット毎に調整する手段はある。
【００１１】
しかしながら、特許文献６記載の技術では、工程数が増えることになりコストアップにつながる。
これに対して、発光素子として有機EL素子をアレイ状に並べた光走査装置が開発された、特許文献２記載の技術のように、長尺のものを一括で作製することができるため、実装工程がないため低コストにすることができ、発光ばらつきが比較的少ないが、特許文献２記載の技術では、有機ＥＬ素子は、ＬＥＤに比べて寿命が短く、また、累積点灯時間が長くなるにつれて次第に輝度が低下するという問題がある。
そこで、この問題に対しては構造上単位面積あたりの発光強度を低下させて寿命を伸ばしたり（例えば、特許文献７参照）、あるいは、有機ELアレイを複数ライン並べて、使用中のラインに寿命が来たら別のラインに切り替えて実質的に寿命を伸ばしたりするなどで対応している（例えば、特許文献８参照）。
【特許文献１】特開２００３−２０２５１０号公報
【特許文献２】特開平９−２２７１６２号公報
【特許文献３】特開２００１−１３４３９号公報
【特許文献４】特開２００１−７５０４０号公報
【特許文献５】特開２００３−１４９４１９号公報
【特許文献６】特開平１１−７０６９５号公報
【特許文献７】特開２００３−５４０３０号公報
【特許文献８】特開２００３−１８６４号公報
【発明の開示】
【発明が解決しようとする課題】
【００１２】
しかしながら、特許文献８、９記載の技術では、構造が複雑になり、有機ＥＬの低コストおよび小型化という利点が損なわれているという問題がある。さらに、有機ＥＬアレイの寿命が短く、また、次第に輝度が低下するという問題の根本的解決にはなっていない。
また、フォトニック結晶と波長可変レーザで構成した光走査装置は、機械的な駆動部がなく、騒音が発生せず、プリンタ装置を小型化することができる。しかしながら、波長可変レーザという特殊なレーザを用いる必要があり、装置が高価なものになってしまうという問題がある。
【００１３】
そこで本発明の主な目的として、請求項１および請求項２では、低騒音で、信頼性が高く、小型で、安価な光走査装置を提供することを目的としている。
以下、本発明の副次的な目的として、請求項３および請求項４では、低騒音で、信頼性が高く、小型で、安価で、かつ、高速走査が可能な光走査装置を提供することを目的としている。
請求項５では、低騒音で、信頼性が高く、小型で、安価で、かつ、多色のプリンタに用いられる光走査装置を提供することを目的としている。
請求項６では、低騒音で、信頼性が高く、小型で、安価で、かつ、フルカラープリンタに用いられる光走査装置を提供することを目的としている。
請求項７では、低騒音で、信頼性が高く、小型で、安価な光走査装置を提供することを目的としている。
請求項８では、低騒音で、信頼性が高く、小型で、安価なプリンタを提供することを目的としている。
請求項９では、低騒音で、信頼性が高く、小型で、安価なプリンタを提供することを目的としている。
請求項１０では、低騒音で、信頼性が高く、小型で、安価なリライタブルペーパー用のプリンタを提供することを目的としている。
請求項１１では、低騒音で、信頼性が高い光走査方法を提供することを目的としている。
請求項１２では、低騒音で、信頼性が高く、かつ、高速走査が可能な光走査方法を提供することを目的としている。
【課題を解決するための手段】
【００１４】
本発明の請求項１に記載の発明は、光を走査する光走査装置において、該光を発する光源と、強誘電体で形成されたフォトニック結晶と、前記フォトニック結晶に電圧を印加すると共に該電圧を制御する電圧制御部と、前記光の走査位置を検出する検出部とを備えたことを特徴とする。
【００１５】
請求項２記載の発明は、請求項１に記載の光走査装置において、前記検出部で検出した走査位置を、前記電圧制御部にフィードバックして前記光を走査するようにしたことを特徴とする。
【００１６】
請求項３記載の発明は、請求項１または２に記載の光走査装置において、前記光源、前記フォトニック結晶、前記電圧制御部及び前記検出部を有する光走査装置系を、主走査方向に２つ以上並べたことを特徴とする。
【００１７】
請求項４記載の発明は、請求項１または２に記載の光走査装置において、前記光源、前記フォトニック結晶、前記電圧制御部及び前記検出部を有する光走査装置系を、副走査方向に２つ以上並べたことを特徴とする。
【００１８】
請求項５記載の発明は、請求項４に記載の光走査装置において、前記光源が発する光の波長が２つ以上であることを特徴とする。
【００１９】
請求項６記載の発明は、請求項１または請求項２に記載の光源、フォトニック結晶、電圧制御部及び検出部を有する光走査装置系を副走査方向に３つ以上並べ、かつ、前記光源から発する光の波長を３つ以上としたことを特徴とする。
【００２０】
請求項７記載の発明は、請求項１から６のいずれか１項に記載の光走査装置において、前記強誘電体がＰＬＺＴであることを特徴とする。
【００２１】
請求項８記載の発明は、請求項１から４のいずれか１項に記載の光走査装置と、該光走査装置からの光によって静電潜像が形成される像担持体と、該像担持体上の静電潜像を現像する現像器と、該現像器で現像された像を転写用紙に転写する転写器と、該転写用紙に転写された像を定着させる定着器とを備えたプリンタであることを特徴とする。
【００２２】
請求項９記載の発明は、請求項６に記載の光走査装置と、該光走査装置の光源からの光によって記録媒体上に形成された像を現像する現像器と、該現像器で現像された像を前記記録媒体に定着させる定着器とを備えたプリンタであることを特徴とする。
【００２３】
請求項１０記載の発明は、請求項１から７のいずれか１項に記載の光走査装置と、紫外光光源とを備えたことを特徴とする。
【００２４】
請求項１１記載の発明は、光を走査する光走査方法において、光源から発せられた光を、電圧制御によりフォトニック結晶に電圧を印加すると共に該電圧を制御し、前記光の走査位置を検出部で検出することを特徴とする。
【００２５】
請求項１２記載の発明は、請求項１１に記載の光走査方法において、前記検出部で検出した走査位置を、前記電圧制御部にフィードバックして前記光を走査することを特徴とする。
【発明の効果】
【００２６】
請求項１に記載の発明によれば、光源と、強誘電体で形成されたフォトニック結晶と、フォトニック結晶に電圧を印加すると共に電圧を制御する電圧制御部と、走査位置を検出する検出部とを備えているので、機械的駆動部がなく、光量のばらつきがなく、かつ、特殊なレーザを必要としない光走査装置を容易に製造することができる。
【００２７】
請求項２に記載の発明によれば、請求項１記載の発明に加え、検出部で検出した走査位置を電圧制御部にフィードバックして光を走査するようにしたので、機械的駆動部がなく、さらに光量のばらつきがなく、かつ、特殊なレーザを必要としない光走査装置を容易に製造することができる。
【００２８】
請求項３および請求項４に記載の光走査装置は、請求項１または請求項２に記載の光走査装置を主走査方向または副走査方向に２つ以上並べて構成している。
したがって、機械的駆動部がなく、光量のばらつきがなく、特殊なレーザを必要とせず、かつ、実効的な走査速度が速い光走査装置を容易に製造することができる。
【００２９】
請求項５に記載の光走査装置は、請求項４に記載の光走査装置において、光源の波長の異なる光走査装置を副走査方向に２つ以上並べて構成している。
したがって、機械的駆動部がなく、光量のばらつきがなく、特殊なレーザを必要とせず、かつ、異なる波長の光を走査できる光走査装置を容易に製造することができる。
【００３０】
請求項６に記載の光走査装置は、光源波長の異なる３種類以上の請求項１または請求項２に記載の光走査装置を、副走査方向に３つ以上並べて構成している。
したがって、機械的駆動部がなく、光量のばらつきがなく、特殊なレーザを必要とせず、かつ、３つ以上の異なる波長の光を走査できる光走査装置を容易に製造することができる。
【００３１】
請求項７に記載の光走査装置は、請求項１から６のいずれか１項に記載の光走査装置において、フォトニック結晶をＰＬＺＴで形成している。
したがって、機械的駆動部がなく、光量のばらつきがなく、特殊なレーザを必要としなく、かつ、可視光領域の光を走査できる光走査装置を容易に製造することができる。
【００３２】
請求項８に記載のプリンタは、請求項１から４のいずれか１項に記載の光走査装置と、像担持体と、現像器と、転写器と、定着器とで構成している。
したがって、低騒音で、信頼性が高く、小型で、安価な電子写真式プリンタを容易に製造することができる。
【００３３】
請求項９に記載のプリンタは、請求項６に記載の光走査装置と、現像器と、定着器とで構成している。
したがって、カラープリンタが可能で、かつ、低騒音で、信頼性が高く、小型で、安価な銀塩方式を含むカラープリンタやモノクロプリンタを容易に製造することができる。
【００３４】
請求項１０に記載のプリンタは、請求項１から７のいずれか１項に記載の光走査装置を用いると共に、光源が紫外光光源である。
したがって、フォトクロミック材料からなるリライタブルペーパーにプリントすることができ、かつ、低騒音で、信頼性が高く、小型で、安価なリライタブルペーパー用カラープリンタを容易に製造することができる。
【００３５】
請求項１１に記載の発明によれば、光を走査する光走査方法において、光源から発せられた光を、電圧制御によりフォトニック結晶に電圧を印加すると共に該電圧を制御し、前記光の走査位置を検出部で検出するので、機械的駆動部がなく、光量のばらつきがなく、かつ、特殊なレーザを必要としない光走査装置を容易に製造することができる。
【００３６】
請求項１２に記載の発明によれば、請求項１１記載の発明に加え、検出部で検出した走査位置を電圧制御部にフィードバックして光を走査するので、機械的駆動部がなく、さらに光量のばらつきがなく、かつ、特殊なレーザを必要としない光走査方法を容易に実現することができる。
以上のように、この発明によれば、信頼性が高く、小型で、安価な光走査装置およびプリンタを容易に製造することができる。
【発明を実施するための最良の形態】
【００３７】
以下、本発明の実施形態について説明する。
（第１実施形態）
図１は本発明の光走査装置の第１の実施形態の構成を示す図である。
図１に示した光走査装置１００は、光源としての半導体レーザ１０７、強誘電体（例えば、ＰＬＺＴ）で形成されたフォトニック結晶（光源波長に対して透明であり、外部からの電気信号に対して光学特性（屈折率）が変化できるものであれば他の材料を用いてもよい。）１０８と、電圧制御部１０６と、検出部としての光走査位置検出器（例えば、フォトダイオード）１０３とで構成されている。フォトニック結晶１０８の上下両面には電極１０４、１０５が形成され、電極１０４、１０５は電圧制御部１０６に接続されている。電圧制御部１０６はフォトニック結晶１０８に電圧を印加すると共にその電圧を制御することができるようになっている。
【００３８】
ここで、屈折率の異なる透明材料を多次元的に周期配列した構造体はフォトニック結晶と呼ばれ、フォトニックバンドギャップ、異方性、高分散性などの特性を有することが知られている。フォトニック結晶１０８の高分散性は、光の波長または入射角を若干変えるだけで、屈折角が大きく変化する特性であるが、強誘電体で形成したフォトニック結晶１０８の場合には、光の波長や入射角が固定であっても、フォトニック結晶１０８に印加する電圧を変えることで、屈折角を大きく変化させることができることが報告されている（D. Scrymgeour, N. Malkova, S. Kim and V. Gopalan, APPLIED PHYSICS LETTERS, VOLUME82,NUMBER19 12MAY2003,p.3176）。
【００３９】
図１に示した実施形態の光走査装置では、ＰＬＺＴでフォトニック結晶１０８を形成し、フォトニック結晶１０８の上下面に形成された電極１０４、１０５に電圧制御部１０６が接続されているので、半導体レーザ１０７から出射され、フォトニック結晶１０８に入射したレーザ光は、フォトニック結晶１０８に印加する電圧を制御して任意の方向に偏向することができる。したがって、電圧制御部１０６で電圧を制御して、レーザ光を走査することができる。フォトニック結晶１０８は先に述べたように波長分散性が高いが、光走査位置検出器１０３で走査開始位置および走査終了位置を検出して、電圧制御部１０６にフィードバックすることで、環境温度の変化などで半導体レーザ１０７の発光波長が若干変動しても、正常にレーザ光を走査させることができる。
ＰＬＺＴの２次元フォトニック結晶１０８は、ゲル状の感光性ＰＬＺＴ膜を紫外光でパターン露光し、酸性の水溶液で紫外光の未照射部分を溶解した後、４００℃でベークすることで作製することができる。
【００４０】
なお、本実施形態では、フォトニック結晶１０８を形成する強誘電体材料としてＰＬＺＴを用いたが、光源波長に対して透明な強誘電体材料であればよい。しかしながら、ＰＬＺＴは可視光領域で透明であり、かつ、電気光学特性が非常に優れており、本発明の光走査装置を構成するフォトニック結晶１０８の材料として最適である。
また、本実施形態では、光走査位置検出器１０３で走査開始位置および走査終了位置を検出して、電圧制御部にフィードバックしているが、光走査位置検出を行う場所は走査開始位置および走査終了位置以外でも良く、図２の構成のように、フォトニック結晶１０８から出射したレーザ光をビームスプリッタ２０１で分岐して、フォトダイオードをアレイ状に並べた光位置検出器２０２で常に位置を検出して電圧制御部１０６にフィードバックしてもよい。
【００４１】
図２は本発明の光走査装置の変形例の構成を示す図である。以下、図１に示した実施形態と同様の部材には共通の符号を用いた。
さらに、本実施形態の光走査装置を主走査方向に、あるいは、副走査方向に複数並べても良く、複数並べた構成では、実効的な走査速度を速くすることができる。
【００４２】
（第２実施形態）
第２の実施形態として、本発明のプリンタとしての電子写真プリンタについて説明する。
図３は本発明のプリンタとしての電子写真プリンタの構成を示す図である。
図３に示したプリンタは、第１実施形態で述べた、光源としての半導体レーザ１０７と、強誘電体（ＰＬＺＴ）で形成されたフォトニック結晶１０８と、電圧制御部１０６と、光走査位置検出器１０３とで構成された光走査装置（光走査装置系）３００と、像担持体（感光ドラム）と３０３、帯電器３０１と、現像器３０２と、転写器３０４と、定着器３０６とからなる。
図３に示した電子写真プリンタにおいて、まず、像担持体（感光ドラム）３０３が帯電器３０１によって帯電され、光走査装置３００で画像データに応じて強度変調されたレーザ光を走査する。像担持体（感光ドラム）３０３上のレーザ光が照射された領域は電荷量が減少し、電荷量はレーザ光の照射量の逆数に関係するので、像担持体（感光ドラム）３０３上に静電潜像が形成される。
【００４３】
次に、現像器３０２で像担持体（感光ドラム）３０３上の電荷を帯びた領域にトナーを吸着させ、転写器３０４で像担持体（感光ドラム）３０３上のトナーを転写用紙３０５に転写し、その後、像担持体（感光ドラム）３０３はクリーナ３０７でクリーニングされ、再び同じ工程を繰り返す。
したがって、これらの工程を順次繰り返し行い、最後に定着器３０６で転写用紙３０５上のトナーを転写用紙３０に定着させることで、転写用紙３０に可視画像を形成することができる。
【００４４】
（第３実施形態）
本発明の第３実施形態としての銀塩方式プリンタについて説明する。
図４は本発明のプリンタとしての銀塩方式プリンタの構成を示す図である。
図３に示したプリンタは、第１実施形態で述べた光走査装置（光走査装置系）３００を３つ３００−１〜３００−３と、現像器３０２と、定着器３０６とで構成される。３つの光走査装置３００−１〜３００−３において、光源１０７−１〜１０７−３の波長はそれぞれ異なり、赤（Ｒ）、緑（Ｇ）および青（Ｂ）となっている。また、３つの光走査装置３００−１〜３００−３は副走査方向に並べてある。
【００４５】
図４に示したプリンタにおいて、銀塩ペーパー４００に、３つの光走査装置３００−１〜３００−３で画像データに応じて強度変調された３色の光を順次走査し、銀塩ペーパー４００を露光する。したがって、その後、現像器３０２で現像し、次に定着器３０６で定着し、乾燥させることで、銀塩ペーパー４００に可視画像をプリントすることができる。
なお、本実施形態では、ＲＧＢをそれぞれ光源１０７−１〜１０７−３とする３つ光走査装置３００−１〜３００−３で構成しているが、２つ以上の光走査装置３００を用いることで、多色のプリントが可能となる。
【００４６】
したがって、光源波長の異なる３つ以上の光走査装置３００で構成することで、フルカラーのプリントが可能となる。なお、ＲＧＢのようにフルカラープリントに適した波長を選ぶ必要がある。また、フォトニック結晶１０８−１〜１０８−３の構造は光源１０７−１〜１０７−３の波長に応じて変更する必要がある。
本実施形態では、銀塩ペーパー４００にプリントしているが、同様の方式で、カラーフィルムやその他のカラー記録媒体にプリントすることも可能である。
【００４７】
（第４実施形態）
本発明の第４実施形態としてのフォトクロミック材料からなるリライタブルペーパー用のプリンタについて説明する。
図５は本発明のプリンタの構成を示す図である。
図５に示したプリンタは、第１実施形態で述べた光走査装置３００を３つ３００−１〜３００−３と、紫外光光源５００とで構成される。３つの光走査装置３００−１〜３００−３において、光源１０７−１〜１０７−３の波長はそれぞれ異なり、赤（Ｒ）、緑（Ｇ）および青（Ｂ）となっている。
フォトクロミック材料とは、紫外線の照射により発色し、発色した材料が吸収する可視光の照射により消色するものである。波長４６０ｎｍ付近に吸収スペクトルのピークをもつイエロー材料と、波長５３０ｎｍ付近に吸収スペクトルのピークをもつマゼンタ材料と、波長６３０ｎｍ付近に吸収スペクトルのピークをもつシアン材料の３種類のフォトクロミック材料を混合して白色フィルム上に塗布したものは、紫外線の照射により全材料が発色した後、赤色光を照射した部分はシアン材料が消色して赤色を示し、緑色光を照射した部分はマゼンタ材料が消色して緑色を示し、青色光を照射した部分はイエロー材料が消色して青色を示し、フルカラー表示が可能である。また、紫外光を再度照射すると、全材料が発色して画像が消去できるため、繰り返し書き換え可能なリライタブルペーパーとして使用することができる（例えば、川島伊久衛、高橋裕幸、平野成伸著、光学、（社）応用物理学会分科会、日本光学会、２００３年１２月１０日、第３２巻第１２号、ｐ．７０７）。
【００４８】
図５に示したプリンタにおいて、まず、フォトクロミック材料からなるリライタブルペーパー５０１に紫外光光源５００で紫外光を照射し、既に形成されている可視画像を消去する。次に、消去したリライタブルペーパー５０１に３つの光走査装置３００−１〜３００−３で画像データに応じて強度変調された３色の光を順次走査することで、リライタブルペーパー５０１にプリントすることができる。
【００４９】
なお、本実施形態では、ＲＧＢをそれぞれ光源１０７−１〜１０７−とする３つの光走査装置３００−１〜３００３で構成しているが、第３実施形態と同様に、２つ以上の光走査装置３００を用いることで、多色のプリントが可能となる。したがって、光源波長の異なる３つ以上の光走査装置３００で構成することで、フルカラーのプリントが可能となる。なお、ＲＧＢのようにフルカラープリントに適した波長を選ぶ必要がある。また、フォトニック結晶１０８−１〜１０８−３の構造は光源１０７−１〜１０７−３の波長に応じて変更する必要がある。
【００５０】
（発明の効果）
請求項１および請求項２においては、光源と、強誘電体で形成されたフォトニック結晶と、フォトニック結晶に電圧を印加すると共にその電圧を制御する電圧制御部と、走査位置を検出する検出部とを備え、検出部で検出した走査位置を電圧制御部にフィードバックして光を走査しているので、機械的駆動部がなく、光量のばらつきがなく、かつ、特殊なレーザを必要としない光走査装置を容易に製造することができる。
よって、低騒音で、信頼性が高く、小型で、安価な光走査装置を容易に実現することができる。
【００５１】
請求項３および請求項４においては、請求項１または請求項２に記載の光走査装置を主走査方向または副走査方向に２つ以上並べて構成しているので、機械的駆動部がなく、光量のばらつきがなく、特殊なレーザを必要とせず、かつ、実効的な走査速度が速い光走査装置を容易に製造することができる。
よって、低騒音で、信頼性が高く、小型で、安価で、かつ、高速走査が可能な光走査装置を容易に実現することができる。
【００５２】
請求項５においては、請求項４に記載の光走査装置を、光源の波長の異なる光走査装置を副走査方向に２つ以上並べて構成しているので、機械的駆動部がなく、光量のばらつきがなく、特殊なレーザを必要とせず、かつ、異なる波長の光を走査できる光走査装置を容易に製造することができる。
よって、低騒音で、信頼性が高く、小型で、安価で、かつ、多色のプリンタに用いられる光走査装置を容易に実現することができる。
【００５３】
請求項６においては、光源波長の異なる３種類以上の請求項１または請求項２に記載の光走査装置を、副走査方向に３つ以上並べて構成しているので、機械的駆動部がなく、光量のばらつきがなく、特殊なレーザを必要とせず、かつ、３つ以上の異なる波長の光を走査できる光走査装置を容易に製造することができる。
よって、低騒音で、信頼性が高く、小型で、安価で、かつ、フルカラープリンタに用いられる光走査装置を容易に実現することができる。
【００５４】
請求項７においては、請求項１から６のいずれか１項に記載の光走査装置のフォトニック結晶をＰＬＺＴで形成しているので、機械的駆動部がなく、光量のばらつきがなく、特殊なレーザを必要としなく、かつ、可視光領域の光を走査できる光走査装置を容易に製造することができる。
よって、低騒音で、信頼性が高く、小型で、安価で、かつ、可視光領域の光で使用可能な光走査装置を容易に実現することができる。
【００５５】
請求項８においては、請求項１から４のいずれか１項に記載の光走査装置と、像担持体と、現像器と、転写器とで構成しているので、低騒音で、信頼性が高く、小型で、安価なプリンタを容易に製造することができる。
よって、高品質のプリンタを安価に実現することができる。
【００５６】
請求項９においては、請求項６に記載の光走査装置と、定着器とで構成しているので、低騒音で、信頼性が高く、小型で、安価な銀塩方式カラープリンタや他の方式を用いたカラープリンタやモノクロプリンタなどのプリンタを容易に製造することができる。
よって、高品質のプリンタを安価に実現することができる。
【００５７】
請求項１０においては、請求項１から７のいずれか１項に記載の光走査装置を用い、光源に紫外光光源を用いているので、フォトクロミック材料からなるリライタブルペーパーにプリントすることができ、かつ、低騒音で、信頼性が高く、小型で、安価なプリンタを容易に製造することができる。
よって、高品質のリライタブルペーパー用プリンタを安価に実現することができる。
【００５８】
請求項１１、１２においては、光を走査する光走査方法において、光源から発せられた光を、電圧制御によりフォトニック結晶に電圧を印加すると共に該電圧を制御し、前記光の走査位置を検出部で検出し、前記検出部で検出した走査位置を、前記電圧制御部にフィードバックするので、機械的駆動部がなく、光量のばらつきがなく、かつ、特殊なレーザを必要としない光走査方法を容易に実現することができる。
よって、低騒音で、信頼性が高い光走査方法を容易に実現することができる。
【図面の簡単な説明】
【００５９】
【図１】本発明の光走査装置の第１の実施形態の構成を示す図である。
【図２】本発明の光走査装置の変形例の構成を示す図である。
【図３】本発明のプリンタとしての電子写真プリンタの構成を示す図である。
【図４】本発明のプリンタとしての銀塩方式プリンタの構成を示す図である。
【図５】本発明のプリンタの構成を示す図である。
【図６】（ａ）は従来の光走査装置の平面図であり、（ｂ）は（ａ）の側面図である。
【図７】従来の光走査装置の概念図である。
【図８】従来の光走査装置の概念図である。
【符号の説明】
【００６０】
１００    光走査装置
１０１、１０３    検出部（光走査位置検出器）
１０２    像坦持体（感光ドラム）
１０４、１０５    電極
１０６    電圧制御部
１０７    光源（半導体レーザ）
１０８    フォトニック結晶
１０９    レーザ光
【図１】
2006065106.tif 000003
【図２】
2006065106.tif 000004
【図３】
2006065106.tif 000005
【図４】
2006065106.tif 000006
【図５】
2006065106.tif 000007
【図６】
2006065106.tif 000008
【図７】
2006065106.tif 000009
【図８】
2006065106.tif 000010